(57)【要約】【課題】本発明は、防振スイッチの操作性を向上させるとともにレンズ駆動部及びロック機構の配置位置を改善してコンパクト化を図ることができる防振レンズ装置を提供することを目的とする。【解決手段】本発明の防振レンズ装置１０は、防振スイッチ５６を本体ケーシング４０の被写体側から見て右側面４４に取り付けた。これにより、防振スイッチ５６は、カメラマン２２から見てレンズ装置１４の左側に位置するので左手２８で操作することができる。また、本体ケーシング４０においては、被写体側から見て補正レンズ４２の左側、下側、上側が空いたスペースとなり、下側の空きスペースにＹ方向ボイスコイルモータ６８を配置し、左側の空きスペースにＸ方向ボイスコイルモータ７０を配置する。以上の配置構成により防振レンズ装置４０は、防振スイッチ５６の操作性が向上し、Ｙ方向ボイスコイルモータ６８及びＸ方向ボイスコイルモータ７０の配置に関しても空いたスペースを有効利用したので、防振レンズ装置１０がコンパクトになる。【選択図】  図５
2005308778.tif 000002
【特許請求の範囲】
【請求項１】
防振レンズ装置の本体ケーシングに内蔵されるとともに像ぶれを補正する補正レンズと、
前記本体ケーシングに内蔵されるとともに前記補正レンズに対して下側に配置され、前記補正レンズを鉛直面内で第１の方向に駆動する第１の駆動部と、
前記本体ケーシングに内蔵されるとともに補正レンズを被写体側から見て補正レンズの左側に配置され、前記補正レンズを鉛直面内で前記第１の方向と直交する第２の方向に駆動する第２の駆動部と、
前記本体ケーシングの被写体側から見て右側面に取り付けられ、前記第１の駆動部及び第２の駆動部又は前記第１、第２の駆動部の何れか一方の駆動部をＯＮ／ＯＦＦする防振スイッチと、
を備えたことを特徴とする防振レンズ装置。
【請求項２】
前記防振スイッチがＯＮ操作されることにより点灯するとともに防振スイッチがＯＦＦ操作されることにより消灯する表示灯が、前記本体ケーシングの被写体側から見て右側上面又は右側面上方に設けられていることを特徴とする請求項１に記載の防振レンズ装置。
【請求項３】
前記補正レンズの動作をロックするロック機構が、前記本体ケーシングに内蔵されるとともに前記補正レンズに対して上側に配置されていることを特徴とする請求項１又は２に記載の防振レンズ装置。
【請求項４】
前記補正レンズによる防振モードの切替スイッチが、前記本体ケーシングの被写体側から見て右側面又は右側背面であって前記防振スイッチの近傍に設けられたことを特徴とする請求項１、２又は３のうちいずれか一つに記載の防振レンズ装置。
【請求項５】
前記第１の駆動部は、前記補正レンズを鉛直方向に駆動する駆動部であり、前記第２の駆動部は、前記補正レンズを水平方向に駆動する駆動部であることを特徴とする請求項１、２、３又は４のうちいずれか一つに記載の防振レンズ装置。
【請求項６】
前記防振レンズ装置は、レンズ装置とテレビカメラとの間に着脱自在に取り付けられることを特徴とする請求項１、２、３、４又は５のうちいずれか一つに記載の防振レンズ装置。
【発明の詳細な説明】
【技術分野】
【０００１】
本発明は防振レンズ装置に係り、特にカメラに加わった振動によって生じる像ぶれを補正する補正レンズを備えた防振レンズ装置に関する。
【背景技術】
【０００２】
光学性能の高倍率、高性能化に伴い最近のテレビカメラに使用されるレンズ装置には、テレビカメラに加わった振動によって生じる像ぶれを補正する補正レンズを備えたものがある。補正レンズを備えたレンズ装置（以下、「防振レンズ装置」と称する）には、鉛直・水平方向の振動を検出する角速度センサ、及びリニアモータを有する補正レンズ駆動部等が設けられ、角速度センサで検出された振動情報に基づいて、補正レンズを補正レンズ駆動部によって像ぶれを補正する位置に移動する（例えば。特許文献１）。
【０００３】
また、レンズ装置の電動駆動ユニットに防振スイッチを設け、この防振スイッチをＯＮ操作することにより、防振機能による振れ補正を開始する防振レンズ装置も提案されている（例えば、特許文献２）。更にまた、レンズ装置の運搬時等において補正レンズの移動をロックするロック機構が内蔵された防振レンズ装置も提案されている（例えば、特許文献３）。
【特許文献１】特開２００２−１５６６９５号公報
【特許文献２】特開２００２−３１８４００号公報
【特許文献３】特開２００３−２９５０２６号公報
【発明の開示】
【発明が解決しようとする課題】
【０００４】
しかしながら、前記従来の防振レンズ装置は、振れ補正をＯＮ／ＯＦＦさせるための防振スイッチは有しているものの、防振スイッチの最適な位置については考慮されておらず、カメラマンにとって必ずしも操作し易いものではなかった。
【０００５】
また、前記従来の防振レンズ装置は、補正レンズを鉛直方向及び水平方向に駆動する補正レンズ駆動部、及びロック機構の最適な配置位置に関し考慮されていないため、防振レンズ装置が無用に大型になっていた。
【０００６】
本発明はこのような事情に鑑みてなされたもので、防振スイッチの操作性を向上させるとともにレンズ駆動部の配置位置を改善してコンパクト化を図ることができる防振レンズ装置を提供することを目的とする。
【課題を解決するための手段】
【０００７】
本発明は、前記目的を達成するために、防振レンズ装置の本体ケーシングに内蔵されるとともに像ぶれを補正する補正レンズと、前記本体ケーシングに内蔵されるとともに前記補正レンズに対して下側に配置され、前記補正レンズを鉛直面内で第１の方向に駆動する第１の駆動部と、前記本体ケーシングに内蔵されるとともに補正レンズを被写体側から見て補正レンズの左側に配置され、前記補正レンズを鉛直面内で前記第１の方向と直交する第２の方向に駆動する第２の駆動部と、前記本体ケーシングの被写体側から見て右側面に取り付けられ、前記第１の駆動部及び第２の駆動部又は前記第１、第２の駆動部の何れか一方の駆動部をＯＮ／ＯＦＦする防振スイッチと、を備えたことを特徴とする。
【０００８】
ＥＮＧカメラのような肩載せタイプのテレビカメラを操作するカメラマンは、通常カメラマンの右肩にテレビカメラを乗載し、右手でテレビカメラを支持するとともに右目でファインダを覗きながら左手でレンズ装置のフォーカスリング、ズームリング、アイリスリング等の操作リングを回動操作する。すなわち、レンズ装置はカメラマンの左手で操作されるものなので、レンズ装置と一体又は別体の防振レンズ装置においても、カメラマンの左手で操作可能な位置であって、前記操作リングを操作しながらでも無理な手の姿勢をとることなく操作可能な位置に配置されることが操作上好ましい。
【０００９】
上記観点から本願請求項１に記載の発明によれば、防振スイッチを本体ケーシングの被写体側から見て右側面に取り付けた。これにより、防振スイッチはカメラマンから見てレンズ装置の左側に位置するので左手で操作することができる。また、側面配置のため前記操作リングを操作しながらでも無理な手の姿勢をとることなく防振スイッチを操作することができる。防振レンズ装置は、一般にレンズ装置とテレビカメラとの間に設けられている。よって、防振レンズ装置の防振スイッチは左手の親指で操作され、他の指によって各操作リングが操作される。
【００１０】
また、防振スイッチを前記側面位置に配置することにより、防振スイッチが実装された電子基板を有するスイッチ回路部が、防振スイッチの近傍に取り付けられることになる。すなわち、被写体側から見て補正レンズの右側に前記スイッチ回路部が本体ケーシングに内蔵されるため、その位置には煩雑さを避けるためスイッチ回路部のみを配置する。これにより本体ケーシングにおいては、被写体側から見て補正レンズの左側、下側、上側が空いたスペースとなり、下側の空きスペースに第１の駆動部を配置し、左側の空きスペースに第２の駆動部を配置する。以上の配置構成により本願請求項１に記載の発明は、防振スイッチの操作性が向上し、レンズ駆動部の配置に関しても空いたスペースを有効利用したので、防振レンズ装置がコンパクトになる。
【００１１】
本願請求項２に記載の発明は、請求項１に記載の防振レンズ装置において、前記防振スイッチがＯＮ操作されることにより点灯するとともに防振スイッチがＯＦＦ操作されることにより消灯する表示灯が、前記本体ケーシングの被写体側から見て右側上面又は右側面上方に設けられていることを特徴としている。本体ケーシングの被写体側から見て右側上面又は右側面上方に表示灯を設けることによって、テレビカメラを乗載したカメラマンは、テレビカメラの操作時に姿勢を変えることなく表示灯を見ることができる。したがって、カメラマンは、防振レンズ装置がＯＮ状態かＯＦＦ状態かをテレビカメラの操作時に容易に確認することができる。
【００１２】
本願請求項３に記載の発明は、請求項１又は２に記載の防振レンズ装置において、前記補正レンズの動作をロックするロック機構が、前記本体ケーシングに内蔵されるとともに前記補正レンズに対して上側に配置されていることを特徴としている。本体ケーシングにおいて、補正レンズに対して上側の空いたスペースにロック機構を配置することにより、防振レンズ装置の更なるコンパクト化を図ることができる。
【００１３】
本願請求項４に記載の発明は、請求項１、２又は３のうちいずれか一つに記載の防振レンズ装置において、前記補正レンズによる防振モードの切替スイッチが、前記本体ケーシングの被写体側から見て右側面又は右側背面であって前記防振スイッチの近傍に設けられたことを特徴とする。よって、カメラマンは、防振スイッチと同様に防振モードの切替スイッチを、操作リングを操作しながらでも無理な手の姿勢をとることなく操作することができる。前記防振モードは、防振の効きの感度が適度なモード、防振の効きの感度が高いモード、鉛直及び水平の両方向に防振を実行するモード、及び鉛直又は水平のうち一方の方向のみに防振を実行するモードがある。
【００１４】
本願請求項５に記載の発明は、請求項１、２、３又は４のうちいずれか一つに記載の防振レンズ装置において、前記第１の駆動部は、前記補正レンズを鉛直方向に駆動する駆動部であり、前記第２の駆動部は、前記補正レンズを水平方向に駆動する駆動部であることを特徴とする。この配置とは逆に、第１の駆動部を、補正レンズを水平方向に駆動する駆動部とし、第２の駆動部を、補正レンズを鉛直方向に駆動する駆動部として各々の駆動部から補正レンズに力を与えたときに、補正レンズに曲げモーメントが生じるため、補正レンズを鉛直方向及び水平方向に円滑に動作させることができないが、本願請求項５に記載の発明の配置構成によれば、補正レンズに曲げモーメントは生じないので、補正レンズを鉛直方向及び水平方向に円滑に動作させることができる。
【００１５】
本願請求項６に記載の発明は、請求項１、２、３、４又は５のうちいずれか一つに記載の防振レンズ装置において、前記防振レンズ装置は、レンズ装置とテレビカメラとの間に着脱自在に取り付けられることを特徴とする。レンズ装置に内蔵された防振レンズ装置もあるが、防振レンズ装置が着脱自在に構成されることにより、カメラマンが防振機能付きか否かを選択できる。
【発明の効果】
【００１６】
本発明に係る防振レンズ装置によれば、防振スイッチを本体ケーシングの被写体側から見て右側面に取り付け、補正レンズの下側の空きスペースに第１の駆動部を配置し、被写体側から見て左側の空きスペースに第２の駆動部を配置したので、防振スイッチの操作性が向上し、防振レンズ装置がコンパクトになる。
【発明を実施するための最良の形態】
【００１７】
以下、添付図面に従って本発明に係る防振レンズ装置の好ましい実施の形態を詳説する。
【００１８】
図１は、実施の形態の防振レンズ装置１０が取り付けられたテレビカメラ装置１２の側面図である。この防振レンズ装置１０は、レンズ装置１４とは別体に構成され、図２、図３に示す防振レンズ装置１０のレンズ側マウント部１６がレンズ装置１４の後端のマウント部（不図示）にバヨネット機構によって接続され、また、図２、図４に示す防振レンズ装置１０のカメラ側マウント部１８がカメラ２０の前端のマウント部（不図示）にバヨネット機構によって接続されている。なお、図２は防振レンズ装置１０の側面図であり、図３は防振レンズ装置１０を被写体側から見た正面図、図４は防振レンズ装置１０をカメラ２０側から見た正面図である。
【００１９】
図１に示すカメラ２０は、肩乗せタイプのＥＮＧカメラである。図１において二点鎖線で示すカメラマン２２は、カメラ２０の下部に形成された片乗せ部２４をカメラマン２２の右肩に乗載し、右手でカメラ２０を支持するとともに右目でファインダ２６を覗きながら、左手２８によってレンズ装置１４及び防振レンズ装置１０を操作する。
【００２０】
レンズ装置１４は、例えばズーム比が１０〜２２倍クラスのＥＮＧレンズ装置であり、フォーカスリング３０、ズームリング３２、アイリスリング３４等の操作リング、エクステンダ切替レバー３６等の各種操作部材がカメラマン２２の左手２８の各々の指によって操作される。すなわち、フォーカスリング３０を回動操作することによりフォーカスレンズ（不図示）が光軸に沿って前後移動され、被写体の焦点が調節される。また、ズームリング３２を回動操作することによりズームレンズ（不図示）が光軸に沿って前後移動され、被写体の焦点距離が調節される。更に、アイリスリング３４を回動することにより、虹彩絞り機構（不図示）の開口径が変更され、絞り値が調節される。
【００２１】
エクステンダ装置３８は、レンズ装置１４の光学系によって結像される像の倍率を、例えば１倍と２倍とで切り換えるための装置であり、２倍に対応したレンズが内蔵されている。レンズの切り替えは、エクステンダ装置３８に設けられた手動操作用のレバー３６を回動操作することによって行われる。このレバー３６は、レンズ装置１４の下側に配置されているため、レバー３６に近い左手２８の親指２９によって操作される。
【００２２】
防振レンズ装置１０は図２〜図４に示すように、縦長に形成された本体ケーシング４０を有し、この本体ケーシング４０の中央部から若干量上方よりに補正レンズ４２が内蔵されている。また、本体ケーシング４０の被写体から見て右側面４４の下部には図２、図４の如く、リモートコントロール用のコネクタ４６が下方に向けて突設されている。このコネクタ４６にリモコン装置（不図示）のケーブルを接続することにより、防振レンズ装置１０のＯＮ／ＯＦＦ、及び防振モードの切り替え等がカメラマン２２によってリモコン操作される。
【００２３】
また、本体ケーシング４０のカメラ２０側から見て右側面４８には図４の如く、レンズからの信号を入力するためのコネクタ５２とカメラ２０へ接続するケーブル５４が設けられている。レンズ装置１４のドライブユニット（不図示）側からのケーブルがコネクタ５２に接続されることにより、ケーブル５４の先端に設けられたコネクタ（不図示）をカメラ２０に接続することで双方向送受信が可能となっている。
【００２４】
ところで、防振レンズ装置１０は図２〜図４に示すように、本体ケーシング４０の被写体から見て右側面４４の上部に、防振レンズ装置１０のＯＮ／ＯＦＦを行う防振スイッチ５６が設けられている。この防振スイッチ５６は図１の如く、レンズ装置１４を操作するカメラマン２２の左手２８の親指２９によって押下操作される。防振スイッチ５６が押下操作されると、補正レンズ４２が可動し防振機能がＯＮになる。また、この後、防振スイッチ５６が押下操作されると、補正レンズ４２は光軸上に静止し防振機能はＯＦＦになる防振レンズ装置１０のＯＮ／ＯＦＦ状態は、本体ケーシング４０の上面の傾斜面４１に設けられた表示ランプ５８を視認することにより確認できる。すなわち、表示ランプ５８は、防振レンズ装置１０に内蔵されたＣＰＵ（不図示）によって、防振レンズ装置１０の防振機能のＯＮ時に点灯制御され、防振レンズ装置１０の防振機能のＯＦＦ時に消灯制御される。
【００２５】
また、図４に示すように防振スイッチ５６の近傍で、カメラ２０側から見た本体ケーシング４０の背面側には防振特性切替スイッチ（防振モードの切替スイッチ）６０、補正方向切替スイッチ６２、及びレンズセレクトダイヤル６４が取り付けられている。防振特性切替スイッチ６０は、防振感度をＳＴＤモード（通常モード）とＨＩＧＨモード（高感度モード）とに切り替えるスイッチである。ＳＴＤモードとは、防振の効きが適度で防振特有の違和感が少ない防振モードであり、ＨＩＧＨモードとは、防振の効きを最優先した防振モードである。補正レンズ４２は、防振特性切替スイッチ６０によって選択されたＳＴＤモード、又はＨＩＧＨモードで駆動されるように防振レンズ装置１０に内蔵されたＣＰＵによってその動作が制御される。
【００２６】
補正方向切替スイッチ６２は、補正レンズ４２の振れ補正方向を鉛直・水平の両方向で実行するＶ＋Ｈ（Vertical and Horizontal ）モードと鉛直方向のみで実行するＶ（Vertical）モードとに切り替えるスイッチである。補正レンズ４２は、補正方向切替スイッチ６２によって選択されたＶ＋Ｈモード、又はＶモードで駆動されるように防振レンズ装置１０に内蔵されたＣＰＵによってその動作が制御される。
【００２７】
レンズセレクトダイヤル６４は、防振レンズ装置１０が取り付けられる様々な仕様のレンズ装置に対応して、その補正量（補正レンズ４２の移動量）を設定するダイヤルであり、そのレンズ装置に付されているナンバーに対応したナンバーを選択することにより、そのレンズ装置に対応した補正量で補正レンズの動作が制御される。
【００２８】
これらの防振特性切替スイッチ６０、補正方向切替スイッチ６２は、撮影中においてカメラマン２２の左手２８の親指２９によって切替操作される。また、レンズセレクトダイヤル６４は、撮影中に操作されるものではなく、事前に設定操作されるものである。
【００２９】
次に、防振レンズ装置１０の防振機構を図５に基づいて説明する。
【００３０】
防振レンズ装置１０の補正レンズ４２は、本体ケーシング４０内に配置されるとともに、レンズ保持枠６６に保持されて撮影光軸Ｐ上に取り付けられている。補正レンズ４２は、レンズ保持枠２４を図５上でＹ方向（鉛直方向）に移動させるＹ方向ボイスコイルモータ（第１の駆動部）６８と、レンズ保持枠６６を図５上でＸ方向（水平方向）に移動させるＸ方向ボイスコイルモータ（第２の駆動部）７０と、によって撮影光軸Ｐと直交する面内でＸＹ方向に移動されることにより、レンズ装置１４やカメラ２０に加わった振動によって生じる像ぶれを補正する。
【００３１】
Ｙ方向ボイスコイルモータ６８は、固定子６８Ａが本体ケーシング４０の内側面に固定され、可動子６８Ｂがプッシャー７２に支持されてＹ方向に移動される。プッシャー７２の両端部にはガイド７４、７４が設けられ、これらのガイド７４、７４の孔に、本体ケーシング４０にＹ方向に固定されたガイドバー７６、７６を挿入することによって、プッシャー７２がＹ方向に移動可能に支持される。また、プッシャー７２には、ガイドバー７８がＸ方向に沿って取り付けられ、このガイドバー７８に、レンズ保持枠６６の下縁に設けられた一対の軸受部８０、８０が摺動自在に嵌合されている。
【００３２】
一方、Ｘ方向ボイスコイルモータ７０は、固定子７０Ａが本体ケーシング４０の内側面に固定され、可動子７０Ｂがプッシャー８２に支持されてＸ方向に移動される。プッシャー８２の両端部にはガイド８４、８４が設けられ、これらのガイド８４、８４の孔に、本体ケーシング４０にＸ方向に固定されたガイドバー８６、８６を挿入することによって、プッシャー８２がＸ方向に移動可能に支持される。また、プッシャー８２には、ガイドバー８８がＹ方向に沿って取り付けられ、このガイドバー８８に、レンズ保持枠６６の側縁に設けられた一対の軸受部９０、９０が摺動自在に嵌合されている。
【００３３】
したがって、Ｘ方向ボイスコイルモータ７０の可動子７０ＢがＸ方向に移動すると、レンズ保持枠６６はプッシャー８２に押し引きされるとともに、プッシャー７２のガイドバー７８にＸ方向にガイドされながらＸ方向に移動する。また、Ｙ方向ボイスコイルモータ６８の可動子６８ＢがＹ方向に伸縮動作すると、レンズ保持枠６６はプッシャー７２に押し引きされるとともに、プッシャー８２のガイドバー８８にＹ方向にガイドされながらＹ方向に移動する。これにより、補正レンズ４２が撮影光軸Ｐと直交する面内でＸＹ方向に移動する。
【００３４】
補正レンズ４２の防振機構には、レンズ保持枠６６のＸ方向位置を検出する位置センサ９２が被写体側から見て補正レンズ４２の右側に設けられるとともに、レンズ保持枠６６のＹ方向位置を検出する位置センサ９４が補正レンズ４２の上側に設けられている。
【００３５】
振動検出センサ１２０は、補正レンズ４２に対し被写体側から見て右側で、スイッチ回路９６の取付位置の下方に形成された空きスペースに固定されている。このスイッチ回路基板９６には防振スイッチ５６、防振特性切替スイッチ６０、補正方向切替スイッチ６２、及びレンズセレクトダイヤル６４が実装されている。また、振動検出センサ１２２は、Ｙ方向ボイスコイルモータ６８の下方形成された空きスペースに固定されている。このように本体ケーシング４０の空きスペースを利用して位置センサ及び振動検出センサを固定することにより、無駄な空きスペースが無くなるので、防振レンズ装置１０がコンパクトになる。
【００３６】
また、補正レンズ４２の上方に形成された空きスペースには、補正レンズ５２のロック機構１００が設けられ、その空きスペースが有効利用されている。
【００３７】
ロック機構１００は図６に示すようにモータ１０２を有し、このモータ１０２の回転軸１０３に設けられたハスバ歯車１０４は、ハスバ歯車１０６に噛合され、ハスバ歯車１０６には平ギヤ１０８が回転軸１０７を介して連結されている。また、平ギヤ１０８には平ギヤ１１０が噛合され、この平ギヤ１１０は本体ケーシング４０に固定されたねじ棒１１２に、そのねじ孔１１１が螺合されている。ねじ棒１１２は、図５に示した補正レンズ４２の光軸Ｐと並行に配設されている。したがって、モータ１０２が回転駆動され、その動力が平ギヤ１１０に伝達されると、ねじ棒１１２とねじ孔１１１とによる送り作用によって平ギヤ１１０が図６で矢印Ａで示す光軸Ｐに沿って往復移動する。平ギヤ１１０の端部には押圧部１１４が一体形成されており、この押圧部１１４が、本体ケーシング４０に一体的に形成されたピン１１６に向けて進出されると、押圧部１１４とピン１１６とによって、レンズ保持枠６６のフランジ部６７が挟圧保持される。これにより、レンズ保持枠６６が移動不能にロックされる。
【００３８】
次に、このように構成された防振レンズ装置１０の特徴について説明する。
【００３９】
図１に示したＥＮＧカメラのような肩載せタイプのテレビカメラ装置１２を操作するカメラマン２２は、通常カメラマン２２の右肩にカメラ２０を乗載し、右手でカメラ２０を支持するとともに右目でファインダ２６を覗きながら左手２８でレンズ装置１４のフォーカスリング３０、ズームリング３２、アイリスリング３４等の操作リングを回動操作する。すなわち、レンズ装置１４はカメラマン２２の左手２８で操作されるものなので、レンズ装置１４と一体又は別体の防振レンズ装置１０においても、カメラマン２２の左手２８で操作可能な位置であって、前記操作リングを操作しながらでも無理な手の姿勢をとることなく操作可能な位置に配置されることが操作上好ましい。
【００４０】
そこで、実施の形態の防振レンズ装置１０によれば、防振スイッチ５６を本体ケーシング４０の被写体側から見て右側面４４（図３参照）に取り付けた。これにより、防振スイッチ５６は、図１の如くカメラマン２２から見てレンズ装置１４の左側に位置するので左手２８で操作することができる。また、右側面配置のため前記操作リングを操作しながらでも無理な手の姿勢をとることなく防振スイッチ５６を操作することができる。
【００４１】
更にまた、防振レンズ装置１０は、一般にレンズ装置１４とカメラ２０との間に設けられているので、防振レンズ装置１０の防振スイッチ５６は左手２８の親指２９で操作され、他の指によって各操作リングが操作される。
【００４２】
また、防振スイッチ５６を右側面に配置することにより、防振スイッチ５６が実装されたスイッチ回路基板９６が、防振スイッチ５６の近傍に取り付けられることになる。すなわち、被写体側から見て補正レンズ４２の右側にスイッチ回路基板９６が本体ケーシング４０に内蔵されるため、その位置には煩雑さを避けるためスイッチ回路基板９６のみを配置する。これにより本体ケーシング４０においては、被写体側から見て補正レンズ４２の左側、下側、上側が空いたスペースとなり、下側の空きスペースにＹ方向ボイスコイルモータ６８を配置し、左側の空きスペースにＸ方向ボイスコイルモータ７０を配置する。以上の配置構成により防振レンズ装置１０は、防振スイッチ５６の操作性が向上し、Ｙ方向ボイスコイルモータ６８及びＸ方向ボイスコイルモータ７０の配置に関しても空いたスペースを有効利用したので、防振レンズ装置１０がコンパクトになる。
【００４３】
また、防振レンズ装置１０によれば、本体ケーシング４０の被写体側から見て右側上面若しくは右側面上方に表示ランプ５８が設けられているので、カメラ２０を乗載したカメラマン２２は、テレビカメラ装置１２の操作時に姿勢を変えることなく表示ランプ５８を見ることができる。したがって、カメラマン２２は、防振レンズ装置１０がＯＮ状態かＯＦＦ状態かをテレビカメラ装置１２の操作時に容易に確認することができる。
【００４４】
更に、防振レンズ装置１０は、補正レンズ４２の動作をロックするロック機構１００が、補正レンズ４２の上方に形成された空きスペースに配置されているので、防振レンズ装置１０の更なるコンパクト化を図ることができる。
【００４５】
また、防振レンズ装置１０によれば、防振特性切替スイッチ６０、補正方向切替スイッチ６２が、本体ケーシング４０の被写体側から見て右側面又は右側背面側であって防振スイッチ５６の近傍に設けられているので、カメラマン２２は、防振スイッチ５６と同様に防振特性切替スイッチ６０、及び補正方向切替スイッチ６２を、各操作リングを操作しながらでも無理な手の姿勢をとることなく操作することができる。
【００４６】
更に、防振レンズ装置１０によれば、Ｙ方向ボイスコイルモータ６８を補正レンズ４２の下側に配置し、Ｘ方向ボイスコイルモータ７０を補正レンズ４２の側方に配置している。この配置とは逆に、Ｙ方向ボイスコイルモータ６８を補正レンズ４２の側方に配置し、Ｘ方向ボイスコイルモータ７０を補正レンズ４２の下側に配置して各々のモータ６８、７０から補正レンズ４２に力を与えると、補正レンズ（レンズ保持枠６６）４２に光軸Ｐを中心とする曲げモーメントが生じるため、補正レンズ４２を鉛直方向及び水平方向に円滑に動作させることができなくなる。これに対して、Ｙ方向ボイスコイルモータ６８を補正レンズ４２の下側に配置し、Ｘ方向ボイスコイルモータ７０を補正レンズ４２の側方に配置した実施の形態の防振レンズ装置１０は、補正レンズ４２に光軸Ｐを中心とする曲げモーメントは生じないので、補正レンズ４２を鉛直方向及び水平方向に円滑に動作させることができる。
【図面の簡単な説明】
【００４７】
【図１】実施の形態の防振レンズ装置が取り付けられたテレビカメラ装置の側面図
【図２】図１に示した防振レンズ装置の側面図
【図３】図２に示した防振レンズ装置を被写体側から見た正面図
【図４】図２に示した防振レンズ装置をカメラ側から見た正面図
【図５】防振レンズ装置の防振機構を示した構造図
【図６】防振レンズ装置のレンズロック機構を示した構造図
【符号の説明】
【００４８】
１０…防振レンズ装置、１２…テレビカメラ装置、１４…レンズ装置、２０…カメラ、２２…カメラマン、４０…本体ケーシング、４２…補正レンズ、５６…防振スイッチ、５８…表示ランプ、６０…防振特性切替スイッチ、６２…補正方向切替スイッチ、６４…レンズセレクトダイヤル、６８…Ｙ方向ボイスコイルモータ、７０…Ｘ方向ボイスコイルモータ
【図１】
2005308778.tif 000003
【図２】
2005308778.tif 000004
【図３】
2005308778.tif 000005
【図４】
2005308778.tif 000006
【図５】
2005308778.tif 000007
【図６】
2005308778.tif 000008